(57)【要約】【課題】編集すべき映像が表示される画面から目を離さずに編集操作を行えるようにし、ユーザフレンドリな映像編集システム、映像編集装置、録画再生装置および映像編集方法を提供する。【解決手段】ホイールマウス３６により発生されるイベントと、ＤＶＤレコーダ１１のステータス情報との論理的結合に、ＤＶＤレコーダ１１を制御するためのコマンドを対応付けた設定テーブル３２ａをＰＣ３０に記憶させる。そして、ユーザによりホイールマウス３６が操作されるとＤＶＤレコーダ１１のステータス情報を取得し、このステータス情報と、操作により生じたイベントとに対応するコマンドを設定テーブル３２ａの内容から生成し、生成したコマンドをＤＶＤレコーダ１１に投入することでＤＶＤレコーダ１１の状態を変化させる。【選択図】      図２
2005033484.tif 000002
【特許請求の範囲】
【請求項１】
映像情報を記録するための記録媒体を備える録画再生装置とこの録画再生装置に通信回線を介して接続されるコンピュータとを具備し、前記記録媒体に記録される前記映像情報を前記コンピュータを用いて編集する映像編集システムであって、
前記コンピュータは、
第１および第２のボタンを備え、前記第１のボタンの押下操作に対応するイベントと、前記第２のボタンの押下操作に対応するイベントとを含む複数のイベントをユーザ操作に応じて区別して発生させるポインティングデバイスと、
前記録画再生装置の動作状態を示すステータス情報を前記通信回線を介して取得する取得手段と、
前記ポインティングデバイスにより発生されるイベントに対応して前記録画再生装置の動作状態を変化させるための制御情報を、前記取得手段により取得されるステータス情報に基づいて生成する制御情報生成手段と、
この制御情報生成手段により生成される制御情報を前記通信回線を介して前記録画再生装置に送信する送信手段とを備え、
前記録画再生装置は、前記送信手段により送信される制御情報に基づいて自装置の動作状態を制御する動作制御手段を備えることを特徴とする映像編集システム。
【請求項２】
映像情報を記録するための記録媒体を備える録画再生装置とこの録画再生装置に通信回線を介して接続されるコンピュータとを具備し、前記記録媒体に記録される前記映像情報を前記コンピュータを用いて編集する映像編集システムであって、
前記コンピュータは、
第１および第２のボタンを備え、前記第１のボタンの押下操作に対応するイベントと、前記第２のボタンの押下操作に対応するイベントとを含む複数のイベントをユーザ操作に応じて区別して発生させるポインティングデバイスと、
このポインティングデバイスにより発生される各イベントを前記通信回線を介して前記録画再生装置に通知する通知手段とを具備し、
前記録画再生装置は、
前記通知手段により通知されるイベントに対応して自装置の動作状態を変化させるための制御情報を、自装置のステータス情報に基づいて生成する制御情報生成手段と、
この制御情報生成手段により生成される制御情報に基づいて自装置の動作状態を制御する動作制御手段とを備えることを特徴とする映像編集システム。
【請求項３】
前記制御情報生成手段は、同種のイベントの単位時間内における発生回数に応じて前記制御情報を生成することを特徴とする請求項１または２に記載の映像編集システム。
【請求項４】
前記ポインティングデバイスは、さらに、互いに異なる第１および第２の方向に回転可能な操作輪を備える操作輪付きポインティングデバイスであり、
前記複数のイベントは、さらに、前記操作輪の第１の方向への回転操作に対応するイベントと、前記操作輪の第２の方向への回転操作に対応するイベントとを含むことを特徴とする請求項１または２に記載の映像編集システム。
【請求項５】
前記操作輪は押下操作可能なボタン機能付きホイールであり、
前記複数のイベントは、さらに、前記操作輪の押下操作に対応するイベントを含むことを特徴とする請求項４に記載の映像編集システム。
【請求項６】
前記コンピュータは、さらに、前記イベントと前記ステータス情報との論理的結合に前記制御情報を対応付けてテーブル化した設定テーブルを記憶する記憶手段を備え、
前記制御情報生成手段は、前記イベントと前記ステータス情報とに対応する制御情報を前記設定テーブルの内容に基づいて生成することを特徴とする請求項１に記載の映像編集システム。
【請求項７】
前記録画再生装置は、さらに、前記イベントと前記ステータス情報との論理的結合に前記制御情報を対応付けてテーブル化した設定テーブルを記憶する記憶手段を備え、
前記制御情報生成手段は、前記イベントと前記ステータス情報とに対応する制御情報を前記設定テーブルの内容に基づいて生成することを特徴とする請求項２に記載の映像編集システム。
【請求項８】
さらに、前記ユーザの要求に応じて前記設定テーブルの内容をカスタマイズするテーブル改編手段を具備することを特徴とする請求項６または７に記載の映像編集システム。
【請求項９】
映像情報を記録するための記録媒体を備える録画再生装置に通信回線を介して接続される映像編集装置において、
第１および第２のボタンを備え、前記第１のボタンの押下操作に対応するイベントと、前記第２のボタンの押下操作に対応するイベントとを含む複数のイベントをユーザ操作に応じて区別して発生させるポインティングデバイスと、
前記録画再生装置の動作状態を示すステータス情報を前記通信回線を介して取得する取得手段と、
前記ポインティングデバイスにより発生されるイベントに対応して前記録画再生装置の動作状態を変化させるための制御情報を、前記取得手段により取得されるステータス情報に基づいて生成する制御情報生成手段と、
この制御情報生成手段により生成される制御情報を前記通信回線を介して前記録画再生装置に送信する送信手段とを具備することを特徴とする映像編集装置。
【請求項１０】
前記制御情報生成手段は、同種のイベントの単位時間内における発生回数に応じて前記制御情報を生成することを特徴とする請求項９に記載の映像編集装置。
【請求項１１】
前記ポインティングデバイスは、さらに、互いに異なる第１および第２の方向に回転可能な操作輪を備える操作輪付きポインティングデバイスであり、
前記複数のイベントは、さらに、前記操作輪の第１の方向への回転操作に対応するイベントと、前記操作輪の第２の方向への回転操作に対応するイベントとを含むことを特徴とする請求項９に記載の映像編集装置。
【請求項１２】
前記操作輪は押下操作可能なボタン機能付きホイールであり、
前記複数のイベントは、さらに、前記操作輪の押下操作に対応するイベントを含むことを特徴とする請求項１１に記載の映像編集装置。
【請求項１３】
さらに、前記イベントと前記ステータス情報との論理的結合に前記制御情報を対応付けてテーブル化した設定テーブルを記憶する記憶手段を備え、
前記制御情報生成手段は、前記イベントと前記ステータス情報とに対応する制御情報を前記設定テーブルの内容に基づいて生成することを特徴とする請求項９に記載の映像編集装置。
【請求項１４】
さらに、前記ユーザの要求に応じて前記設定テーブルの内容をカスタマイズするテーブル改編手段を備えることを特徴とする請求項１３に記載の映像編集装置。
【請求項１５】
映像情報を記録するための記録媒体を備え、当該記録媒体に記録される前記映像情報を編集する映像編集装置に通信回線を介して接続される録画再生装置であって、
前記映像編集装置から通知されるイベントに対応して自装置の動作状態を変化させるための制御情報を、自装置のステータス情報に基づいて生成する制御情報生成手段と、
この制御情報生成手段により生成される制御情報に基づいて自装置の動作状態を制御する動作制御手段とを具備することを特徴とする録画再生装置。
【請求項１６】
前記制御情報生成手段は、同種のイベントの単位時間内における発生回数に応じて前記制御情報を生成することを特徴とする請求項１５に記載の録画再生装置。
【請求項１７】
さらに、前記イベントと前記ステータス情報との論理的結合に前記制御情報を対応付けてテーブル化した設定テーブルを記憶する記憶手段を備え、
前記制御情報生成手段は、前記イベントと前記ステータス情報とに対応する制御情報を前記設定テーブルの内容に基づいて生成することを特徴とする請求項１５に記載の録画再生装置。
【請求項１８】
さらに、前記ユーザの要求に応じて前記設定テーブルの内容をカスタマイズするテーブル改編手段を備えることを特徴とする請求項１７に記載の録画再生装置。
【請求項１９】
映像情報を記録するための記録媒体を備える録画再生装置をこの録画再生装置に通信回線を介して接続される映像編集装置から制御して前記記録媒体に記録される前記映像情報を編集する映像編集方法において、
前記録画再生装置の動作状態を示すステータス情報を取得する取得ステップと、
ユーザ操作により発生したイベントに対応して前記録画再生装置の動作状態を変化させるための制御情報を、前記取得されるステータス情報に基づいて生成する生成ステップと、
この生成された制御情報に基づいて前記録画再生装置の動作状態を制御する制御ステップとを具備することを特徴とする映像編集方法。
【請求項２０】
前記生成ステップは、同種のイベントの単位時間内における発生回数に応じて前記制御情報を生成するステップであることを特徴とする請求項１９に記載の映像編集方法。
【請求項２１】
さらに、前記イベントと前記ステータス情報との論理的結合に前記制御情報を対応付けてテーブル化した設定テーブルを準備する準備ステップを具備し、
前記生成ステップは、前記イベントと前記ステータス情報とに対応する制御情報を前記設定テーブルの内容に基づいて生成するステップであることを特徴とする請求項１９に記載の映像編集方法。
【請求項２２】
さらに、前記ユーザの要求に応じて前記設定テーブルの内容をカスタマイズする改編ステップを備えることを特徴とする請求項２１に記載の映像編集方法。
【発明の詳細な説明】
【０００１】
【発明の属する技術分野】
この発明は、再生および記録が可能な光ディスクなどの媒体に記録された映像を編集する映像編集システムと、このシステムにおいて利用されるコンピュータなどの映像編集装置と、前記媒体に対する情報の記録／再生処理を行う録画再生装置、および、映像編集方法に関する。
【０００２】
【従来の技術】
周知のように、近年では、例えば、ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  Ｍｅｍｏｒｙ）及びＤＶＤ−Ｒ（Ｒｅｃｏｒｄａｂｌｅ）等のように、書き込み可能な媒体に対して情報の記録再生を行なう、いわゆる、ＤＶＤレコーダが普及している。この種の装置のユーザの間では媒体に記録された映像を自由に編集したいというニーズが高く、これに応えようとするシステムも種々に提案されている。
【０００３】
映像編集システムは、専用のアプリケーションソフトがインストールされたコンピュータ（以下ＰＣと表記する）を中核として実現される。ＰＣとＤＶＤレコーダとを通信回線を介して接続し、通信回線を介してＤＶＤレコーダに種々のコマンドを投入することにより映像編集が実施される。コマンドには、映像の「コマ送り」や「コマ戻し」、あるいは「再生」、「停止」などの種々の項目がある。これらのコマンドをユーザの意志に応じてＤＶＤレコーダに与えるには、現在では大別して２通りの手法がある。
【０００４】
一つには、ＰＣのキーボードの各キーにコマンドを割り当て、キーの押下操作によりＤＶＤレコーダにコマンドを投入する手法である。この種の操作はショートカットキーと称して一般に知られている。しかしながらこの手法には下記の点で不具合がある。例えば「コマ送り」が「：」キー、「コマ戻し」が「；」キーに割り当てられているとすると、ユーザは予めこのことを記憶しなければならず、ユーザフレンドリであるとは言えない。
【０００５】
また、ユーザは、ＤＶＤレコーダに接続されるテレビモニタ（ＰＣのモニタではない）に画面表示される映像コンテンツを見ながら編集作業を行う。その際、「コマ送り」をするためにはユーザはモニタ画面からいったん目を離し、キーボードの「：」の位置を確認して「：」キーを押下し、「コマ送り」が成功したことを確認するために再度モニタに目を合わせるという手順を踏まねばならない。よってユーザは煩雑な操作を余儀なくされ、特にタッチタイピングの苦手なユーザにとっては非常に面倒な作業を強いられることになる。
【０００６】
２つ目の手法は、ＰＣのモニタ画面にリモコンをアイコンで表示し、リモコン上のクリッカブルボタンをＰＣのマウスでクリックするという手法である。しかしながら、この手法によってもユーザの目線はＰＣのモニタとテレビモニタとを頻繁に行き来しなければならず、ユーザの手間の煩雑さは解消されない
なお、関連する技術が下記特許文献１に開示される。この文献には、ＶＴＲのリモコンなどの入力装置でテレビの画面を見ながら入力する場合に、１個のキーにより多数の操作項目を簡単にしかも迅速に入力し、習熟しない者でも容易に操作できるようにした入力装置が開示される。
【０００７】
【特許文献１】
特開平７−１２３３３１号公報（段落［００３０］〜［００４３］、図２）
【０００８】
【発明が解決しようとする課題】
以上述べたように既存の映像編集システムは、編集作業に際してユーザの手間が非常に煩雑であるという不具合を有し、その解決策の提供が待たれている。
本発明は上記事情によりなされたもので、その目的は、編集すべき映像が表示される画面から目を離さずに編集操作を行えるようにし、ユーザフレンドリな映像編集システム、映像編集装置、録画再生装置および映像編集方法を提供することにある。
【０００９】
【課題を解決するための手段】
上記目的を達成するために本発明に係わる映像編集システムは、映像情報を記録するための記録媒体（例えばＤＶＤ−ＲＡＭ）を備える録画再生装置（例えばＤＶＤレコーダ１１）とこの録画再生装置に通信回線（例えばＬＡＮ）を介して接続されるコンピュータ（例えばＰＣ３０）とを具備し、前記記録媒体に記録される前記映像情報を前記コンピュータを用いて編集する映像編集システムであって、前記コンピュータは、第１および第２のボタンを備え前記第１のボタンの押下操作に対応するイベントと前記第２のボタンの押下操作に対応するイベントとを含む複数のイベントをユーザ操作に応じて区別して発生させるポインティングデバイス（例えばホイールマウス３６）と、前記録画再生装置の動作状態を示すステータス情報を前記通信回線を介して取得する取得手段と、前記イベント発生手段により発生されるイベントに対応して前記録画再生装置の動作状態を変化させるための制御情報（例えばコマンド）を、前記取得手段により取得されるステータス情報に基づいて生成する制御情報生成手段と、この制御情報生成手段により生成される制御情報を前記通信回線を介して前記録画再生装置に送信する送信手段とを備え、前記録画再生装置は、前記送信手段により送信される制御情報に基づいて自装置の動作状態を制御する動作制御手段を備えることを特徴とする。
【００１０】
このような手段を講じることにより、ユーザの編集操作は、ホイールマウスなどを介してイベントとしてシステムに与えられる。イベントは最終的にはコマンドとして録画再生装置に与えられるが、本発明は、制御情報生成手段によりコマンドが録画再生装置の状態に応じて適応的に生成される点に特徴を持つ。すなわち同じイベントが与えられた場合でも、録画再生装置の状態により異なるコマンドが生成される場合がある。これにより、イベントの種類と録画再生装置の動作状態とを一対一に対応させずとも良くなり、ホイールマウスようなボタンの数の少ないデバイスを用いても、録画再生装置の数多くある動作状態の全てを制御することが可能となる。従って、特にホイールマウスを用いた場合にはユーザの片手操作により編集作業を実施できるようになり、煩雑な手間を省くことができる。このことは、キーボード操作や、ＰＣの画面に表示されるリモコンを操作すること、ひいてはリモコンを表示すること自体が必ずしも必要で無くなることを意味し、この点からもユーザの手間を省くことができる。
【００１１】
【発明の実施の形態】
以下、図面を参照して本発明の実施の形態を詳細に説明する。
図１は、本発明に係わる映像編集システムの一実施の形態を示すシステム図である。このシステムは例えば家庭内に形成され、ＤＶＤレコーダ１１と、このＤＶＤレコーダ１１にＬＡＮ（Ｌｏｃａｌ  Ａｒｅａ  Ｎｅｔｗｏｒｋ）を介して接続されるパーソナルコンピュータなどのＰＣ３０とを備える。なおコンピュータはＬＡＮに複数接続されても良い（ＰＣ３０′）。
【００１２】
ＤＶＤレコーダ１１は、パネルディスプレイなどの表示装置５０に接続される。ＰＣ３０は、モニタ４０と、キーボード３５と、ホイールマウス３６とを備える。モニタ４０には、各種設定を行うためのブラウザ画面が表示される。ホイールマウス３６は、右クリックボタン３６ａと、左クリックボタン３６ｂと、ホイール３６ｃとを備える。ホイール３６ｃは図中＋および−で表される２方向に回転させることができ、またそれ自体をクリックすることもできる。すなわちホイールマウス３６は、右クリックに対応するイベント（右クリックボタン３６ａの押下）と、左クリックに対応するイベント（左クリックボタン３６ｂの押下）と、ホイール３６ｃの＋方向への回転に対応するイベントと、ホイール３６ｃの−方向への回転に対応するイベントと、ホイール３６ｃの押下に対応するイベントとをＰＣ３０に通知することができる。これらのイベントは互いに区別し得るもので、ＰＣ３０を操作するユーザによってホイールマウス３６が操作されることで発生する。
【００１３】
ＰＣ３０は、ＭＰＵ（Ｍｉｃｒｏ  Ｐｒｏｃｅｓｓｉｎｇ  Ｕｎｉｔ）３１と、ハードディスクドライブ（ＨＤＤ）３２と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの書き替え可能な不揮発性メモリ３３と、インタフェース部（Ｉ／Ｆ）３４とを備える。ＨＤＤ３２は、所定の記憶領域に設定テーブル３２ａを記憶する。なお設定テーブル３２ａはメモリ３３に記憶されても良い。Ｉ／Ｆ部３４は、ＬＡＮを介したＰＣ３０とＤＶＤレコーダ１１との情報通信を司る。
【００１４】
ところでＭＰＵ３１は、ステータス取得処理部３１ａと、コマンド生成処理部３１ｂと、コマンド投入処理部３１ｃとを備える。ステータス取得処理部３１ａ、コマンド生成処理部３１ｂ、およびコマンド投入処理部３１ｃは、ＨＤＤ３１に記憶された制御プログラムがメモリにロードされ、該プログラムに記述された命令がＭＰＵ３１の演算処理により実行されることによって実現される制御機能である。
【００１５】
ステータス取得処理部３１ａは、編集作業に係るイベントが生じた場合に、ＤＶＤレコーダ１１の動作状態を示すステータス情報をＬＡＮを介してＤＶＤレコーダ１１から取得する。コマンド生成処理部３１ｂは、イベントが生じた場合に、このイベントに対応してＤＶＤレコーダ１１の動作状態を変化させるためのコマンドを、ステータス取得処理部３１ａにより取得されるステータス情報に基づいて適応的に生成する。特に本実施形態においては、コマンド生成処理部３１ｂは設定テーブル３２ａの内容に基づいて、イベントの種別およびステータス情報に対応するコマンドを生成する。コマンド投入処理部３１ｃは、コマンド生成処理部３１ｂこのにより生成されたコマンドをＬＡＮを介してＤＶＤレコーダ１１に投入する。
このほか、ＨＤＤ３２には既知のブラウザプログラムなどが記憶され、ＭＰＵ３１はユーザの起動操作に応じてブラウザプログラムを読み出し、実行する。
【００１６】
図２は、図１のＨＤＤ３２に記憶される設定テーブル３２ａの一例を示す模式図である。設定テーブル３２ａは、ホイールマウス３６により発生されるイベントと、ＤＶＤレコーダ１１のステータス情報（すなわち状態を示す）との論理的結合に、ＤＶＤレコーダ１１を制御するためのコマンドをマトリクス状に対応付けてテーブル化したデータベースである。図２においては、ホイール３６ｃのクリック操作を“中クリック”と称する。図２の設定テーブル３２ａを参照すると、ＤＶＤレコーダ１１が再生状態であるときに中クリック操作が実施されると、ＤＶＤレコーダ１１を一時停止するためのコマンドが生成されることがわかる。これに対し、同じ中クリック操作でもＤＶＤレコーダ１１が停止状態にある場合には、ＤＶＤレコーダ１１を再生状態にするためのコマンドが生成される。
【００１７】
図３は、図１のＤＶＤレコーダ１１の一実施の形態を示す機能ブロック図である。ＤＶＤレコーダ１１は、外部から映像及び音声のデータを入力するためのＡＶ入力部１２と、受信したテレビジョン放送信号から所定のチャンネルを選局するＴＶ（Ｔｅｌｅｖｉｓｉｏｎ）チューナ１３とを備えている。
【００１８】
これらＡＶ入力部１２及びＴＶチューナ１３は、取得した映像及び音声のデータをエンコーダ部１４に出力している。このエンコーダ部１４は、入力した映像及び音声のデータに対して、所定の圧縮符号化処理、変調処理、エラー訂正コードの付加処理等を施した後、記録に適したフォーマットに変換してディスクドライブ部１５に出力している。
【００１９】
このディスクドライブ部１５は、エンコーダ部１４から入力した映像及び音声のデータを、ＨＤＤ（Ｈａｒｄ  Ｄｉｓｋ  Ｄｒｉｖｅ）１６によりハードディスクに一旦記録する。その後、ディスクドライブ部１５は、ＨＤＤ１６を介してハードディスクに記録された映像及び音声のデータを読み出し、ディスクドライブ１７に出力している。
【００２０】
このディスクドライブ１７は、例えばＤＶＤ−ＲＡＭ及びＤＶＤ−Ｒ等の光ディスク１８を選択的に装着可能となっている。そして、このディスクドライブ１７は、装着した光ディスク１８を回転駆動し、ＨＤＤ１６から入力した映像及び音声のデータを、光ヘッドにより、一時記録部１９をバッファとして、光ディスク１８に記録している。
【００２１】
また、上記ディスクドライブ部１５は、ディスクドライブ１７が光ヘッドにより光ディスク１８から読み出した映像及び音声のデータを、デコーダ部２０に出力している。このデコーダ部２０は、入力した映像及び音声のデータに対して、復号化処理、復調処理、エラー訂正処理等を施した後、ＤＶＤレコーダ１１の外部に導出するためにＡＶ出力部２１に出力している。ＡＶ出力部２１から出力される映像及び音声のデータは図１の表示装置５０に入力される。
【００２２】
上記した光ディスク１８に対する記録再生動作は、ＭＰＵ（Ｍｉｃｒｏ  Ｐｒｏｃｅｓｓｉｎｇ  Ｕｎｉｔ）２２が統括的に制御している。このＭＰＵ２２は、メモリ２３に格納された制御ソフトウェアや、ＥＥＰＲＯＭなどのフラッシュＲＯＭ２４に格納されたファームウェア等に基づいて、タイマーＭＰＵ２５を経て入力した操作入力部２６の操作情報を反映させるように各部を制御している。またＭＰＵ２２は、ＬＡＮを介してＰＣ３０から与えられたコマンドに応じて自装置（すなわちＤＶＤレコーダ１１）の動作状態を制御する。
【００２３】
なお、メモリ２３は、ＭＰＵ２２に対して作業エリアを提供するとともに、例えば記録予約情報等の各種の設定データを記録している。また、タイマーＭＰＵ２５は、メモリ２３に記録された記録予約情報に基づく記録動作を実現するための時間計測動作を行なうもので、ＭＰＵ２２に対して記録の開始や停止等を指示する情報を発生している。さらに、上記ＭＰＵ２２は、表示部２７に現在のステータス情報（すなわち動作状態）、及び各種の設定状態等を表示させている。
【００２４】
ここで、上記ＭＰＵ２２は、通信制御部２８を接続している。この通信制御部２８はＬＡＮと接続され、ＭＰＵ２２が発生するデータやコマンドをＬＡＮ上に送出したり、ＬＡＮ上に送出されたデータやコマンドを取り込んでＭＰＵ２２に供給する機能を有する。
【００２５】
ところで、図３のＨＤＤ１６は、リモコンプログラム１６ａを所定の記憶領域に記憶している。リモコンプログラム１６ａは、ＰＣ３０からＤＶＤレコーダ１１を遠隔操作するための制御プログラムである。このプログラムがＰＣ３０にロードされることで、リモコンを示すシンボルアイコンをＰＣ３０のモニタ４０に表示したり、ホイールマウス３６を介してＤＶＤレコーダ１１にコマンドを投入したりすることができる。すなわちリモコンプログラム１６ａは、ステータス取得処理部３１ａ、コマンド生成処理部３１ｂ、およびコマンド投入処理部３１ｃと関連し有って動作する。リモコンプログラム１６ａは例えばＪａｖａ（登録商標）などの汎用性の有る言語により記述される。なおリモコンプログラム１６ａにより実現されるＤＶＤレコーダ１１の遠隔操作機能を、ここではリモコンＪａｖａと称する。
【００２６】
フラッシュＲＯＭ２４は、テーブル設定用ＨＴＭＬコンテンツ２４ａを所定の記憶領域に記憶する。テーブル設定用ＨＴＭＬコンテンツ２４ａは、ユーザの要求に応じて設定テーブル３２ａの内容をカスタマイズするために使用されるもので、ＰＣ３０のブラウザからの要求に応じてＰＣ３０にダウンロードされる。なお、図３のメモリ２３、またはフラッシュＲＯＭ２４に、図２と同内容の設定テーブル２３ａを記憶させるようにしても良い。
【００２７】
図４は、図１のＰＣ３０のモニタ４０に表示されるリモコンのシンボルアイコンの一例を示す模式図である。このリモコンには「早戻し」、「逆スロー」、「再生」、「正スロー」、「早送り」、「ポーズ」、「停止」、…などの各制御動作に一対一に対応するアイコンが表示される。ユーザは、ホイールマウス３６によりリモコン上の操作アイコンをクリックすることでＤＶＤレコーダ１１を制御することができる。なお設定より、図４中の×印で示した部分のようにボタンが配置されていない部分でのみ、ホイールマウス３６の「左クリック」が有効となるようにすることもできる。
【００２８】
なお本実施形態においてリモコンによる操作とは、必ずしも図４のアイコンを用いた操作だけを意味するものではない。ホイールマウス３６を用いてＤＶＤレコーダ１１を操作することも同様に、遠隔操作の意味でのリモコン操作の概念に含まれる。
【００２９】
図５は、本実施形態に係わる映像編集システムの処理手順を示すシーケンスチャートである。図５において、モニタ４０に開かれたブラウザ画面のアドレスバーにＩＰアドレス、またはホスト名を入力することによりユーザがＤＶＤレコーダ１１を指定すると（ステップＳ１）、ブラウザ（すなわちＰＣ３０）は指定されたＤＶＤレコーダ１１からＨＴＭＬコンテンツを読み出す。ここでは、先ずコンテンツの先頭を意味するインデックスページを取得する旨の要求がＤＶＤレコーダ１１に与えられる（ステップＳ２）。
【００３０】
例えば、ブラウザにｈｔｔｐ：／／ｓｙｓｔｅｍ−ｎａｍｅ／ｓｅｔｕｐ．ｈｔｍｌというＵＲＬ（Ｕｎｉｆｏｒｍ  Ｒｅｓｏｕｒｃｅ  Ｌｏｃａｔｅｒ）が与えられると、ブラウザはＬＡＮ上のｓｙｓｔｅｍ−ｎａｍｅというホスト名を持つＤＶＤレコーダ１１に対して、／ｓｅｔｕｐ．ｈｔｍｌを取得するための要求を出す。
【００３１】
ＤＶＤレコーダ１１のＭＰＵ２２は、この要求をＬＡＮを介して受信し、フラッシュＲＯＭ２４に記憶されるインデックスページを表示するためのＨＴＭＬコンテンツをＬＡＮを介してＰＣ３０に返送する（ステップＳ３）。ブラウザはインデックスページを表示する。
【００３２】
ここで、ユーザがリモコン設定を実施するためのメニューをインデックスページから指定したとする（ステップＳ４）。そうすると、リモコン設定ページの送信要求がＤＶＤレコーダ１１に送信される（ステップＳ５）。これに応じてＤＶＤレコーダ１１のＭＰＵ２２は、フラッシュＲＯＭ２４に記憶された現在のリモコンの設定情報と、テーブル設定用ＨＴＭＬコンテンツ２４ａとからＨＴＭＬコンテンツを作成し、ＬＡＮを介してＰＣ３０に送り返す（ステップＳ６）。ＰＣ３０のブラウザはＬＡＮを介してＨＴＭＬコンテンツを受けとり、モニタ４０に例えば図７に示されるようなＨＴＭＬコンテンツを表示する。
【００３３】
ユーザは、このＨＴＭＬコンテンツを用いてリモコン設定処理を実施し、ブラウザ画面に表示される登録要求ボタンをクリックする（ステップＳ７）。このステップでは、図２に示されるような設定テーブル２３ａが生成される。その内容は、ブラウザのＣｏｏｋｉｅに保存される（ステップＳ８）。Ｃｏｏｋｉｅとは、ブラウザが動作する端末のハードディスク上に保存される情報ファイルであり、例えばＣｏｏｋｉｅｓと称する専用のフォルダに保存される。すなわち、設定テーブル３２ａは、Ｃｏｏｋｉｅとして図１のＨＤＤ３２に保存される。
【００３４】
こののち、ユーザにより編集作業を開始するための操作（編集ソフトウェアの起動など）がＰＣ３０に対して実施され、リモコン起動が指定されたとする（ステップＳ９）。そうすると、ＰＣ３０のブラウザはリモコンＪａｖａを要求するための処理を行う。すなわち、リモコンプログラム１６ａを起動するための要求をＤＶＤレコーダ１１に送出する（ステップＳ１０）。このステップでは、Ｃｏｏｋｉｅに保存されたリモコン設定情報も併せてＤＶＤレコーダ１１に送出される。
【００３５】
例えば、ユーザがブラウザにｈｔｔｐ：／／ｓｙｓｔｅｍ−ｎａｍｅ／ｒｅｍｏｔｅ．ｈｔｍｌというアドレスを指定すると、ブラウザはＤＶＤレコーダ１１に／ｒｅｍｏｔｅ．ｈｔｍｌという情報をＬＡＮを介して送信する。これに応じて、ＤＶＤレコーダ１１のＭＰＵ２２は、設定テーブル３２ａ（または２３ａ）の内容をパラメータとする中間バイトコードのＪａｖａプログラムを、ＬＡＮを介してＰＣ３０に送り返す（ステップＳ１１）。すなわちこのステップでは、Ｃｏｏｋｉｅに保存されたリモコン設定情報に基づくリモコンＪａｖａが起動される。
【００３６】
Ｊａｖａプログラムは、ＰＣ３０のブラウザの仮想マシン上で動作を開始する。パラメータとして与えられたリモコン設定情報は、Ｊａｖａ（登録商標）のメモリに保存される。
【００３７】
ＰＣ３０においてリモコンＪａｖａが起動すると、ＪａｖａプログラムはＤＶＤレコーダ１１とＬＡＮを介して通信を開始する。まずＪａｖａプログラムは、ＤＶＤレコーダ１１の動作状態、すなわちステータス情報を取得するための要求をＤＶＤレコーダ１１に送出する（ステップＳ１２）。これを受けてＤＶＤレコーダ１１は、自装置のステータス情報をブラウザに返送する（ステップＳ１３）。
【００３８】
この状態からユーザによりリモコンＪａｖａ上のオペレーションが実施されると（ステップＳ１４）、ＰＣ３０は、ＤＶＤレコーダ１１のステータス情報とオペレーションの操作要求とに基づくコマンドを生成し、生成したコマンドをＤＶＤレコーダ１１に投入する（ステップＳ１５）。これを受けてＤＶＤレコーダ１１のＭＰＵ２２は、コマンドに応じてデコーダ部２０などを制御し、コマンドに対応する再生制御を実行する（ステップＳ１６）。
【００３９】
図６は、図１のＰＣ３０における処理手順を示すフローチャートである。図６において、ＰＣ３０は編集作業に係るイベントの発生を待ち受ける（ステップＳ２１）。この状態から例えばホイールマウス３６の右クリックボタン３６ａが押下されると、この操作に対応するイベントが発生する。そうするとＰＣ３０のＭＰＵ３１はその旨を認識し、ＤＶＤレコーダ１１のステータス情報を取得する（ステップＳ２２）。
【００４０】
次にＰＣ３０は、設定テーブル３２ａを参照し（ステップＳ２３）、発生したイベントの種別と、取得したステータス情報とのマトリクス上の交点に対応するコマンドを読み出すことにより、ＤＶＤレコーダ１１に与えるべきコマンドを生成する（ステップＳ２４）。そしてＰＣ３０は、生成したコマンドをＬＡＮを介してＤＶＤレコーダ１１に投入する（ステップＳ２５）。
【００４１】
ＤＶＤレコーダ１１の状態が変化すると、その旨が逐次ＤＶＤレコーダ１１からＬＡＮを介してＰＣ３０のＪａｖａプログラムに通知される。ＪａｖａプログラムはＬＡＮを介してこの通知を受け取り、ＰＣ３０のメモリ３３などにＤＶＤレコーダ１１の再生状態を保存する。
【００４２】
例えば、ユーザがホイールマウス３６の右クリックボタン３６ａを押下するというオペレーションを実施すると、Ｊａｖａプログラムはこれを認識し、メモリ３３に記憶されるＤＶＤレコーダ１１のステータス情報と、ＨＤＤ３２に記憶される設定テーブル３２ａとから、ＤＶＤレコーダ１１に与えるべきコマンドを決定する。
【００４３】
図２の設定テーブル３２ａによれば、ＤＶＤレコーダ１１が正スロー再生状態であるときの右クリックに対応するコマンドは、「再生」である。ＤＶＤレコーダ１１に対して送信する。再生コマンドをＤＶＤレコーダ１１に投入するには、例えば／ｒｅｍｏｔｅ．ｈｔｍｌ／ｋｅｙ＝１のようなフォーマットの情報を送るようにする。この例では、再生コマンドに対応するフラグとしてｋｅｙ＝１が指定される。
【００４４】
図７は、設定テーブル３２ａをユーザの好みに応じて改編、すなわちカスタマイズするための作業時におけるＰＣ３０のブラウザ画面の第１の表示例を示す図である。この画面は、ＤＶＤレコーダ１１に記憶されるテーブル設定用ＨＴＭＬコンテンツ２４ａが、ＰＣ３０のブラウザの要求により読み出されることで表示される。この画面上のドロップダウンリストによりユーザが各コマンドを選択指定することにより、設定テーブル３２ａの内容がカスタマイズされる。
【００４５】
図７の画面を用いて、ユーザは、「リモコンの種類」において「通常リモコン」、または「編集リモコン」のいずれかの項目を指定する。「通常リモコン」が選択された場合は、デフォルトで記憶されている設定テーブル３２ａの内容に基づくＪａｖａリモコンが動作する。「編集リモコン」が選択された場合には、編集されたリモコン設定、すなわちユーザによりカスタマイズされた設定テーブル３２ａの内容に基づくＪａｖａリモコンが動作する。
【００４６】
「編集リモコンのカスタマイズ設定」欄には、ホイールマウス３６の動作設定をシステムに設定するための項目がドロップダウンリスト形式で表示される。すなわち、ＤＶＤレコーダ１１のステータスに応じてＤＶＤレコーダ１１の動作を変更するためのコマンドを、ホイールマウス３６を用いた操作のどれに割り当てるかといった設定を、図７の画面を用いて実施することができる。ホイールマウス３６の操作に対し、ＤＶＤレコーダ１１の状態に応じて異なるコマンドを割り当てるため、設定すべき内容は、「ホイールマウス３６の操作」対「ＤＶＤレコーダ１１の動作状態」のマトリックスとなる。
【００４７】
図７には、図２の設定テーブル３２ａの内容を反映した内容が選択されている。言い換えれば、図７の内容を登録することで、図２に示される設定テーブル３２ａがＨＤＤ３２に記憶される。
【００４８】
ＤＶＤレコーダ１１に対する割り当て可能なコマンドとしては、例えば「早戻し」、「逆スロー」、「再生」、「正スロー」、「早送り」、「ポーズ」、「停止」、「コマ送り」、「コマ戻し」、「チャプター分割」、「ワンタッチスキップ」、「ワンタッチリプレイ」、および、「何もしない」などが挙げられる。マトリクスの各交点ごとに、これらのコマンド項目がドロップダウンリストで表示され、ユーザはドロップダウンリストからいずれかのコマンドを選択する。
【００４９】
なお、図７の画面下部に表示される「設定サンプルをロード」欄から［Ａスタイル］、［Ｂスタイル］、［Ｃスタイル］、および［Ｄスタイル］のいずれかを選択することにより、予め記憶された設定サンプルをロードすることもできる。例えばスタイルＡが指定されたとすると、ＰＣ３０のブラウザは選択したアイテムの情報を含む情報をＬＡＮを介してＤＶＤレコーダ１１に送信する。送信される情報には、例えば／ｓｅｔｕｐ．ｈｔｍｌ／ｓｔｙｌｅ＝Ａのような情報を含ませると良い。
【００５０】
ＤＶＤレコーダ１１のＭＰＵ２２はこの情報をＬＡＮ介して受け取り、メモリ２３に予め記憶されるサンプルマトリクスデータをＰＣ３０に返送する。ＰＣ３０のブラウザは、受信したサンプルマトリクスデータをブラウザ上に表示する。
【００５１】
図８は、設定テーブル３２ａをカスタマイズするための作業時におけるブラウザ画面の第２の表示例を示す図である。図８の画面はＢスタイルのサンプルがロードされた場合に表示されるもので、例えば左クリック操作に対するコマンドの種別において図７と異なっている。
【００５２】
図９は、設定テーブル３２ａをカスタマイズするための作業時におけるブラウザ画面の第３の表示例を示す図である。図９の画面はＣスタイルのサンプルがロードされた場合に表示されるもので、「ワンタッチリプレイ」コマンド、および「ワンタッチスキップ」コマンドが指定されていることが特徴的である。
【００５３】
図１０は、設定テーブル３２ａをカスタマイズするための作業時におけるブラウザ画面の第４の表示例を示す図である。図１０の画面はＤスタイルのサンプルがロードされた場合に表示されるもので、中クリックに対応するカラムが無いことが特徴的である。これは、ホイールマウス３６のホイール３６ｃにクリック機能が無い場合に対応する。これによりホイールマウス３６のバージョン、またはＰＣ３０のＯＳ（Ｏｐｅｒａｔｉｏｎ  Ｓｙｓｔｅｍ）の種別やそのバージョンの違いなどにも対応することができる。
【００５４】
図７〜図１０のいずれの画面においても、「登録」ボタンがクリックされると、ＰＣ３０のブラウザは画面上で設定された内容を含む情報をＬＡＮを介してＤＶＤレコーダ１１に送信する。例えば上記各画面で通常リモコンが選択され、「早戻し」時の「左クリック」に対して「停止」コマンドが割り当てられているとすると、／ｓｅｔｕｐ．ｈｔｍｌ／ｔｙｐｅ＝１／ｆｆ＿ｌｅｆｔ＿ｃｌｉｃｋ＝２などといった情報がＤＶＤレコーダ１１に送信される。この例では、リモコンの種類が通常リモコンであることがｔｙｐｅ＝１により表され、「早戻し中の左クリックが停止コマンドに対応」という情報がｆｆ＿ｌｅｆｔ＿ｃｌｉｃｋ＝１により表される。ＤＶＤレコーダ１１のＭＰＵ２２はこの情報を受け取り、メモリ２３に保存する。なお図７〜図１０のいずれの画面においても、「戻る」ボタンをクリックすることで、設定をキャンセルする（Ｕｎｄｏ）ことができる。
【００５５】
以上をまとめると本実施形態では、ホイールマウス３６により発生されるイベントと、ＤＶＤレコーダ１１のステータス情報との論理的結合に、ＤＶＤレコーダ１１を制御するためのコマンドを対応付けた設定テーブル３２ａをＰＣ３０に記憶させる。そして、ユーザによりホイールマウス３６が操作されるとＤＶＤレコーダ１１のステータス情報を取得し、このステータス情報と、操作により生じたイベントとに対応するコマンドを設定テーブル３２ａの内容から生成し、生成したコマンドをＤＶＤレコーダ１１に投入することでＤＶＤレコーダ１１の状態を変化させるようにしている。
【００５６】
このようにしたので、ＤＶＤレコーダ１１の動作を、操作時点における動作状態に対応づけて種々に異なる形態に制御することが可能となる。しかもこの操作は、ホイールマウス３６が操作されることによって完結する。すなわちキーボード３５やリモコンアイコンを必要とせず、ホイールマウス３６だけを操作することによって全てのコマンドをＤＶＤレコーダ１１に与えることが可能となる。
【００５７】
これにより、表示装置５０の画面を見ながら、且つ表示装置５０から目線を外すことなく、ユーザは編集したい映像を自在に且つスムーズに編集することができる。またホイールマウス３６はホイール３６ｃを有するので、この回転方向を巻き戻し、早送りなどに対応付けることでより直感的な操作が可能となる。
【００５８】
また本実施形態では、設定テーブル３２ａの内容をユーザの要望に応じて自在にカスタマイズすることができる。一般にＤＶＤレコーダ１１の動作状態によっては、同じオペレーションでも再生制御内容を変えたい場合が多い。例えば再生中のホイール操作は早送り、早戻しに設定したいのに対し、一時停止中のホイール操作はコマ送り、コマ戻しに設定したいと考えるユーザがいるかもしれない。本実施形態によればこのような要望にも応えることができる。またこのことによっても、ユーザは意図するオペレーションをより直感的に実施することが可能になる。
【００５９】
また、ＤＶＤレコーダ１１の動作状態によっては無意味なオペレーションが存在する。例えば、再生中の停止操作には意味があるが、再生中の再生操作には、既に再生が行なわれていることから意味が無い。これに対し本実施形態によれば、ＤＶＤレコーダ１１に投入すべきコマンドをＤＶＤレコーダ１１の動作状態に基づいて搾り込むことができるので、受け付け可能なオペレーション数の少ないホイールマウス３６のようなユーザインターフェースを有効に活用することができる。ＤＶＤレコーダ１１の動作状態とオペレーション要求との組み合わせに応じて、無効な操作を予め割り出し、設定テーブル３２ａにデフォルトで「何もしない」を定義しておくようにしても良い。
【００６０】
また設定テーブル３２ａをＨＤＤ３２に記憶するようにしているので、編集作業のたびに設定テーブル３２ａを作成する必要が無く、いつでも同じ設定を利用することができる。またフラッシュＲＯＭなどの高価なデバイスを備えない機器においても対応することができる。逆に、設定テーブル３２ａをＤＶＤレコーダ１１側のメモリ２３やフラッシュＲＯＭ２４に記憶させるようにしても良く、この場合には、ＨＤＤなどのサイズの大きいデバイスを備えない機器においても対応することができる。
【００６１】
以上のように本実施形態によれば、編集すべき映像が表示される画面から目を離さずに編集操作を行えるようにでき、これによりユーザフレンドリな映像編集システム、映像編集装置、録画再生装置および映像編集方法を提供することが可能となる。
【００６２】
なお、本発明は上記実施の形態に限定されるものではない。
例えば、ホイール３６ｃを操作すると、ホイール３６ｃの回転角度が規定量を超えた際に１つのコマンドが生成される。ホイールの単位時間の回転量が多いと、単位時間内において同種のイベントが複数発生することも有る。ホイールを大きく回転させる癖が有るユーザによりオペレーションが行なわれると、このような事態が起こり、ＤＶＤレコーダ１１がユーザの意図しない動作をする場合が有り得る。
【００６３】
例えば、ＤＶＤレコーダ１１の早送りのスピードを４段階に変更できるとし、また、早送りをするためのホイールマウス３６のオペレーションが（＋）回転に割り合てられている状態でユーザが早送りを１段階だけ進めたい場合、ユーザがホイール３６ｃを過度に回転させると早送りが２段階になってしまうかもしれない。
【００６４】
そこで、コマンド生成処理部３１ｂに、同種のイベントの単位時間内における発生回数に応じてコマンドを適応的に生成するという機能を付加するようにしても良い。これは、制御プログラムにパッチコードを当てることにより実現できる。この機能は図７〜図１０の「ホイール回転閾値」欄が関係するもので、この欄によりホイール３６ｃの単位時間の回転数の閾値を設定できるようにする。このようにすることでユーザの意図しない動作を防止することができる。
【００６５】
また上記実施形態では、Ｊａｖａプログラムがアクティブな状態、すなわちＪａｖａリモコンが起動している状態において、ＰＣ３０がホイールマウス３６のオペレーションを受け付けることができるようにした。これに代えて、Ｊａｖａリモコンのためのプログラムが動作していない状態においてもホイールマウス３６のオペレーションをＰＣ３０が受け付けられるようにしてもよい。リモコンアイコンが表示されることと、ホイールマウス３６を用いたオペレーションとの間には、直接の関係は無いからである。さらに、オペレーションを与えるインタフェースはホイールマウス３６に限らない。例えばキーボード３５のカーソルキーをユーザインタフェースとして使用しても良い。本発明は、発生できるイベントの数の少ないデバイスに対して特に有効であるからである。
また設定テーブル３２ａは、ＰＣ３０およびＤＶＤレコーダ１１に限らず、ＬＡＮに接続される専用のサーバに記憶されるようにしても良い。またリモコンプログラム１６ａ、およびテーブル設定用ＨＴＭＬコンテンツ２４ａにおいても、ＤＶＤレコーダ１１に限らず他の場所に記憶されるようにしても良い。
【００６６】
また上記実施形態では、ＰＣ３０側においてコマンドを生成し、生成したコマンドをＤＶＤレコーダ１１に投入するといった動作形態を説明した。これに代えて、ＰＣ３０において発生したイベントをそのままＬＡＮを介してＤＶＤレコーダ１１に送信し、ＤＶＤレコーダ１１において自装置の動作状態に応じてコマンドを解釈して適応的な動作を実行するといった形態にしても良い。
【００６７】
図１１は、本発明に係る映像編集システムの他の実施形態を示す模式図である。図１１においては、複数のＤＶＤレコーダ（１１，１１′，１１′′）と一台のＰＣ３０とがＬＡＮを介して接続される。この構成においては、まず、各ＤＶＤレコーダ１１〜１１′′が設定テーブル２３ａを記憶する必要がある。各ＤＶＤレコーダ１１〜１１′′ごとに設定テーブル２３ａの内容が異なっていても良い。
【００６８】
また各ＤＶＤレコーダは、ＭＰＵ２２のソフトウェアによる処理機能として実現される、コマンド生成処理部２２ａを備える。コマンド生成処理部２２ａは、ＰＣ３０からイベントの状態で通知されるオペレーション情報から、自装置の動作状態を制御するためのコマンドを、自装置の動作状態に基づいて適応的に生成する。
【００６９】
すなわちこの形態では、ＤＶＤレコーダを制御するためのコマンドがＤＶＤレコーダ側において生成されることになる。なおＤＶＤレコーダが自装置を制御するためには必ずしも汎用的なコマンドを用いる必要はなく、例えば機器ごとに定義されるローカル命令であっても良い。このような形態は、図１１のように、ＰＣとＤＶＤレコーダとが一対多の関係で結ばれる場合に有効である。このほか複数のＰＣと複数のＤＶＤレコーダとが多対多の関係で結ばれていても良い。
【００７０】
さらに本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７１】
【発明の効果】
以上詳しく述べたように本発明によれば、編集すべき映像が表示される画面から目を離さずに編集操作を行えるようになり、ユーザフレンドリな映像編集システム、映像編集装置、録画再生装置および映像編集方法を提供することができる。
【図面の簡単な説明】
【図１】本発明に係わる映像編集システムの一実施の形態を示すシステム図。
【図２】図１のＨＤＤ３２に記憶される設定テーブル３２ａの一例を示す模式図。
【図３】図１のＤＶＤレコーダ１１の一実施の形態を示す機能ブロック図。
【図４】図１のＰＣ３０のモニタ４０に表示されるリモコンのシンボルアイコンの一例を示す模式図。
【図５】本発明の実施の形態に係わる映像編集システムの処理手順を示すシーケンスチャート。
【図６】図１のＰＣ３０における処理手順を示すフローチャート。
【図７】設定テーブル３２ａをカスタマイズするための作業時におけるブラウザ画面の第１の表示例を示す図。
【図８】設定テーブル３２ａをカスタマイズするための作業時におけるブラウザ画面の第２の表示例を示す図。
【図９】設定テーブル３２ａをカスタマイズするための作業時におけるブラウザ画面の第３の表示例を示す図。
【図１０】設定テーブル３２ａをカスタマイズするための作業時におけるブラウザ画面の第４の表示例を示す図。
【図１１】本発明に係る映像編集システムの他の実施形態を示す模式図。
【符号の説明】
１１…ＤＶＤレコーダ、１２…ＡＶ入力部、１３…ＴＶチューナ、１４…エンコーダ部、１５…ディスクドライブ部、１６…ハードディスクドライブ（ＨＤＤ）、１６ａ…リモコンプログラム、１７…ディスクドライブ、１８…光ディスク、１９…一時記録部、２０…デコーダ部、２１…ＡＶ出力部、２２…ＭＰＵ、２３…メモリ、２３ａ…設定テーブル、２４…フラッシュＲＯＭ、２４ａ…ＨＴＭＬコンテンツ、２５…タイマーＭＰＵ、２６…操作入力部、２７…表示部、２８…通信制御部、３０…パーソナルコンピュータ（ＰＣ）、３１…ＭＰＵ、３１ａ…ステータス取得処理部、３１ｂ…コマンド生成処理部、３１ｃ…コマンド投入処理部、３２…ハードディスクドライブ（ＨＤＤ）、３２ａ…設定テーブル、３３…メモリ、３４…インタフェース（Ｉ／Ｆ）部、３５…キーボード、３６…ホイールマウス、３６ａ…右クリックボタン、３６ｂ…左クリックボタン、３６ｃ…ホイール、４０…モニタ、５０…表示装置
【図１】
2005033484.tif 000003
【図２】
2005033484.tif 000004
【図３】
2005033484.tif 000005
【図４】
2005033484.tif 000006
【図５】
2005033484.tif 000007
【図６】
2005033484.tif 000008
【図７】
2005033484.tif 000009
【図８】
2005033484.tif 000010
【図９】
2005033484.tif 000011
【図１０】
2005033484.tif 000012
【図１１】
2005033484.tif 000013